(57)【要約】【課題】サッシ枠に対する取付が容易で取り外した場合の原状復帰も可能なスクリーン装置取付具及びそれを備えたスクリーン装置を提供する【解決手段】引き出し自在なスクリーン２１を納めるスクリーン装置本体２０と、スクリーン２１の引き出された状態を保持する保持部品２４とを有するスクリーン装置２を、サッシ枠１の室外側に固定するものであって、第一固定部材３０と第二固定部材４０とからなり、第一固定部材３０はサッシ枠１に当接する第一挟持部３４を有し、第二固定部材４０はサッシ枠１に当接する第二挟持部４４と、スクリーン装置本体２０または保持部品２４を取付可能な固定部４２とを有し、第一挟持部３４と第二挟持部４４とでサッシ枠１を挟み込むことにより、サッシ枠１に対し固定される。【選択図】図６
2014214568.tif 000002
【特許請求の範囲】
【請求項１】
引き出し自在なスクリーンを納めるスクリーン装置本体と、前記スクリーンの引き出された状態を保持する保持部品とを有するスクリーン装置を、前記サッシ枠の室外側に固定するスクリーン装置取付具において、
第一固定部材と第二固定部材とからなり、前記第一固定部材は前記サッシ枠に当接する第一挟持部を有し、前記第二固定部材は前記サッシ枠に当接する第二挟持部と、前記スクリーン装置本体または前記保持部品を取付可能な固定部とを有し、
前記第一挟持部と第二挟持部とで前記サッシ枠を挟み込むことにより、前記サッシ枠に対し固定されることを特徴とするスクリーン装置取付具。
【請求項２】
前記第一挟持部と第二挟持部は、前記サッシ枠の板状部を両面から挟み込むことを特徴とする請求項１記載のスクリーン装置取付具。
【請求項３】
前記第二固定部材は、前記第一固定部材に対し挟持する前記板状部の肉厚方向に移動自在となるように保持され、前記第一固定部材と第二固定部材とが締結具により締結されることにより、前記第一挟持部と第二挟持部とが近づいて前記板状部を挟持することを特徴とする請求項２記載のスクリーン装置取付具。
【請求項４】
前記第一固定部材は前記板状部と対向する引き寄せ面部を有し、前記締結具は前記引き寄せ面部に対し螺合されることを特徴とする請求項３記載のスクリーン装置取付具。
【請求項５】
前記締結具は先端部が前記第二挟持部に当接されると共に、前記引き寄せ面部に対する螺合に伴い前記第二挟持部を押圧することを特徴とする請求項４記載のスクリーン装置取付具。
【請求項６】
前記第二挟持部は面状に形成され、前記第一挟持部は前記板状部より前記第二挟持部側と反対側に張り出す張出部から前記板状部側に向かう折り返し部分に形成されることを特徴とする請求項２〜５のいずれか１項に記載のスクリーン装置取付具。
【請求項７】
前記スクリーン装置本体を取付可能な第二固定部材に対応する第一固定部材は、前記サッシ枠の上端部に引っ掛けられる引っ掛け部を有してなることを特徴とする請求項１〜６のいずれか１項に記載のスクリーン装置取付具。
【請求項８】
引き出し自在なスクリーンを納めるスクリーン装置本体と、前記スクリーンの引き出された状態を保持する保持部品とを有するスクリーン装置において、
請求項１〜７のいずれか１項に記載のスクリーン装置取付具を介して前記スクリーン装置本体と保持部品とがサッシ枠の室外側に固定されることを特徴とするスクリーン装置。
【発明の詳細な説明】
【技術分野】
【０００１】
本発明は、日よけ等に用いられるスクリーン装置をサッシ枠の室外側に取付けるスクリーン装置取付具及びそれを備えたスクリーン装置に関し、特にサッシ枠に対する取付を容易にしたスクリーン装置取付具及びそれを備えたスクリーン装置に関する。
【背景技術】
【０００２】
建物開口部に設けられるサッシ枠の室外側に、スクリーン装置を設けることがある。スクリーン装置は、下方に引き出し自在なロール状のスクリーンを納めたスクリーン装置本体がサッシ枠の室外上部に取付けられ、引き出したスクリーンを係止しておく保持部品が、サッシ枠の両端部に取付けられて構成され、スクリーンを引き出すことで日よけ等として用いられる。
【０００３】
スクリーン装置のサッシ枠に対する固定構造としては、従来はサッシ枠に孔を開け、その孔に対してスクリーン装置の固定金具をネジ止め固定するようにしていた。しかし、サッシ枠に孔を開けるための工数が必要となって手間がかかり、スクリーン装置を後で取り外しても、孔が残ってしまうという問題があった。
【０００４】
一方、サッシ枠を構成する網戸レールに対して、スクリーン装置の取付部品を、木槌などを用いて打ち込むものが知られている。このように構成することで、サッシ枠の孔を不要とすることができる。このようなスクリーン装置の固定構造として、例えば特許文献１に挙げるものがある。
【先行技術文献】
【特許文献】
【０００５】
【特許文献１】特開２００５−９０９６号公報
【発明の概要】
【発明が解決しようとする課題】
【０００６】
しかし、網戸レールに取付部品を打ち込む構造では、網戸と取付部品とが干渉し、網戸を閉めた際にサッシ枠との間に隙間を生じるため、網戸の機能を低下させるという問題がある。また、取付部品を木槌などで打ち込んでいるため、これを取り外すとサッシ枠に傷が残り、完全な原状復帰は困難であった。
【０００７】
本発明は前記課題を鑑みてなされたものであり、サッシ枠に対する取付が容易で取り外した場合の原状復帰も可能なスクリーン装置取付具及びそれを備えたスクリーン装置を提供することを目的とする。
【課題を解決するための手段】
【０００８】
前記課題を解決するため、請求項１の発明に係るスクリーン装置取付具は、引き出し自在なスクリーンを納めるスクリーン装置本体と、前記スクリーンの引き出された状態を保持する保持部品とを有するスクリーン装置を、前記サッシ枠の室外側に固定するスクリーン装置取付具において、
第一固定部材と第二固定部材とからなり、前記第一固定部材は前記サッシ枠に当接する第一挟持部を有し、前記第二固定部材は前記サッシ枠に当接する第二挟持部と、前記スクリーン装置本体または前記保持部品を取付可能な固定部とを有し、
前記第一挟持部と第二挟持部とで前記サッシ枠を挟み込むことにより、前記サッシ枠に対し固定されることを特徴として構成されている。
【０００９】
請求項１に係る発明によれば、第一挟持部と第二挟持部とでサッシ枠を挟み込むことでスクリーン装置取付具をサッシ枠に対し固定することが可能となるので、サッシ枠にネジを挿通する孔を形成する必要がなく、取付作業を簡単にすることができる。
【００１０】
また、請求項２の発明に係るスクリーン装置取付具は、前記第一挟持部と第二挟持部は、前記サッシ枠の板状部を両面から挟み込むことを特徴として構成されている。
【００１１】
請求項２に係る発明によれば、サッシ枠の板状部を挟持する構造となるので、スクリーン装置取付具を挟み込みにより強固に固定することができる。
【００１２】
さらに、請求項３の発明に係るスクリーン装置取付具は、前記第二固定部材は、前記第一固定部材に対し挟持する前記板状部の肉厚方向に移動自在となるように保持され、前記第一固定部材と第二固定部材とが締結具により締結されることにより、前記第一挟持部と第二挟持部とが近づいて前記板状部を挟持することを特徴として構成されている。
【００１３】
請求項３に係る発明によれば、締結具の締結によって板状部を挟持することができ、簡単にスクリーン装置取付具の取付作業を行うことができる。
【００１４】
さらにまた、請求項４の発明に係るスクリーン装置取付具は、前記第一固定部材は前記板状部と対向する引き寄せ面部を有し、前記締結具は前記引き寄せ面部に対し螺合されることを特徴として構成されている。
【００１５】
請求項４に係る発明によれば、締結具を締めることで、締結具は板状部に近づく方向に移動し、それに伴い第二固定部材を板状部側に移動させて第一挟持部と第二挟持部による板状部の挟み込みをなすことができる。
【００１６】
そして、請求項５の発明に係るスクリーン装置取付具は、前記締結具は先端部が前記第二挟持部に当接されると共に、前記引き寄せ面部に対する螺合に伴い前記第二挟持部を押圧することを特徴として構成されている。
【００１７】
請求項５に係る発明によれば、締結具により第二挟持部を直接押圧して、板状部の挟み込みを強固にすることができる。
【００１８】
そして、請求項６の発明に係るスクリーン装置取付具は、前記第二挟持部は面状に形成され、前記第一挟持部は前記板状部より前記第二挟持部側と反対側に張り出す張出部から前記板状部側に向かう折り返し部分に形成されることを特徴として構成されている。
【００１９】
請求項６に係る発明によれば、第一挟持部は縦枠の形状や寸法に関わらず、板状部に当接できるようにしつつ、面状の第二挟持部により確実に第一挟持部との挟み込みをなすようにすることができる。
【００２０】
また、請求項７の発明に係るスクリーン装置取付具は、前記スクリーン装置本体を取付可能な第二固定部材に対応する第一固定部材は、前記サッシ枠の上端部に引っ掛けられる引っ掛け部を有してなることを特徴として構成されている。
【００２１】
請求項７に係る発明によれば、引っ掛け部によってスクリーン装置取付具の位置決めを容易にすると共に、締結具が緩んでもスクリーン装置取付具がサッシ枠から直ちに脱落することを防止することができる。
【００２２】
さらに、請求項８の発明に係るスクリーン装置は、引き出し自在なスクリーンを納めるスクリーン装置本体と、前記スクリーンの引き出された状態を保持する保持部品とを有するスクリーン装置において、
前記いずれかのスクリーン装置取付具を介して前記スクリーン装置本体と保持部品とがサッシ枠の室外側に固定されることを特徴として構成されている。
【００２３】
請求項８に係る発明によれば、サッシ枠に孔を形成することなく容易に取付可能なスクリーン装置とすることができる。
【発明の効果】
【００２４】
本発明に係るスクリーン装置取付具によれば、サッシ枠に孔を開けることなく容易に取付けることができ、また、サッシ枠に孔を開ける必要がないため、これを取り外すことで確実に原状復帰することもできる。
【図面の簡単な説明】
【００２５】
【図１】本実施形態のスクリーン装置取付具を備えたスクリーン装置の縦断面図である。
【図２】本実施形態のスクリーン装置取付具を備えたスクリーン装置の横断面図である。
【図３】スクリーン装置取付具の平面図である。
【図４】スクリーン装置取付具の側面図である。
【図５】スクリーン装置取付具の斜視図である。
【図６】スクリーン装置取付具を縦枠に固定する前後の横断面図である。
【図７】スクリーン装置取付具を取付けた縦枠と上枠の連結部付近拡大斜視図である。
【図８】スクリーン装置取付具の平面図である。
【図９】スクリーン装置取付具の側面図である。
【図１０】スクリーン装置取付具の斜視図である。
【発明を実施するための形態】
【００２６】
本発明の実施形態について図面に沿って詳細に説明する。図１には、本実施形態のスクリーン装置取付具３，４を備えたスクリーン装置２の縦断面図を、図２には、本実施形態のスクリーン装置取付具３，４を備えたスクリーン装置２の横断面図を、それぞれ示している。図１及び図２には、スクリーン装置２が取付けられるサッシ枠１も簡略的に示されている。
【００２７】
建物開口部に取付けられるサッシ枠１は、上枠１０と下枠１１及び左右の縦枠１２，１２を方形状に枠組みして構成される。サッシ枠１内には障子が納められるが、図１，２では省略している。また、図１においては縦枠１２を、図２においては下枠１１を、それぞれ簡略化して表している。
【００２８】
スクリーン装置２は、箱状をなすスクリーン装置本体２０を有している。スクリーン装置本体２０は、内部に軸部２０ａを備え、この軸部２０ａに巻き付くようにロール状のスクリーン２１が納められる。スクリーン装置本体２０の下面には、スクリーン２１を引き出すための取り出し口２０ｂが形成されている。
【００２９】
スクリーン２１の端部には、スクリーン２１の引き出した状態を維持するための係合部材２３と、手で持ってスクリーン２１を引き出すための把手部２２とが設けられている。図１において、実線で示したスクリーン２１は引き出された状態を表し、一点鎖線で示したスクリーン２１はスクリーン装置本体２０内に納められた状態を表している。
【００３０】
サッシ枠１の上部両端部には、スクリーン装置取付具３が取付固定されており、スクリーン装置取付具３に固定される本体固定部品２５に対し、スクリーン装置本体２０が係合及びネジ止め固定される。本体固定部品２５は、スクリーン装置取付具３のうちスクリーン装置本体２０側に面する平面状の固定部４２に対して当接し、ネジ止めされる固定面部２５ａを備え、固定面部２５ａの上端部から突出する係止突部２５ｂが、スクリーン装置本体２０に対し係止されると共に、固定面部２５ａの下端部から突出する当接突部２５ｃが、スクリーン装置本体２０に対し当接してネジ止め固定される。
【００３１】
また、サッシ枠１の下端付近両端部には、スクリーン装置取付具４が取付固定されており、これに保持部品２４が固定される。保持部品２４は、スクリーン装置取付具４の固定部４２に対して当接しネジ止め固定されるもので、スクリーン２１の端部に設けられる係合部材２３を係止させるフック部２４ａを有している。
【００３２】
係合部材２３は、図１に示すように上面に凹状の係合部２３ａを有しており、フック部２４ａは係合部２３ａの凹形状に適合するフック状に形成されており、係合部２３をフック部２４ａに対し引っ掛けるように係止させることができる。スクリーン２１は、スクリーン装置本体２０内に巻き戻されるように付勢されており、係合部２３ａをフック部２４ａに係止させることで、スクリーン２１が引き出された状態を維持することができる。また、係合部２３ａをフック部２４ａから外すことで、スクリーン２１はスクリーン装置本体２０内に巻き戻される。
【００３３】
本実施形態では、保持部品２４をサッシ枠１の下端付近に配置して、スクリーン２１によりサッシ枠１の室外側の略全体を覆うことができるようにしているが、図１において破線で示すように、サッシ枠１の上下中間位置に配置することもできるし、また、異なる高さ位置に複数の保持部品２４を配置することもできる。保持部品２４を固定するスクリーン装置取付具４は、保持部品２４の固定位置に応じてサッシ枠１に対し取付固定される。
【００３４】
スクリーン装置本体２０を固定するスクリーン装置取付具３について詳細に説明する。図３にはスクリーン装置取付具３の平面図を、図４にはスクリーン装置取付具３の側面図を、図５にはスクリーン装置取付具３の斜視図を、それぞれ示している。スクリーン装置取付具３は、いずれも金属製の第一固定部材３０と第二固定部材４０とが組み合わされて構成されている。
【００３５】
図３に示すように、第一固定部材３０は、平面状の側面部３１と、側面部３１から垂直方向に伸びる引き寄せ面部３２及び張出部３３と、張出部３３から側面部３１の伸びる方向に折り返された部分の先端部からなる第一挟持部３４とを有している。図４及び図５に示すように、引き寄せ面部３２は側面部３１の上下二箇所にそれぞれ形成されている。また、第一固定部材３０の張出部３３から折り返された部分の上部には、側面視略Ｌ字状をなす引っ掛け部３５が形成されている。
【００３６】
図３に示すように、第二固定部材４０は、第一固定部材３０の側面部３１と隣接対向する平面状の側面部４１と、側面部４１の一端から垂直方向に伸び引き寄せ面部３２と対向する固定部４２と、側面部４１の他端から垂直方向に伸び第一挟持部３４と対向する面状の第二挟持部４４とを有している。第二固定部材４０の固定部４２は、スクリーン装置本体２０を固定する取付面となり、図１及び図２に示すように、ここに本体固定部品２５がネジ止め固定される。
【００３７】
第二固定部材４０の固定部４２には、ネジからなる締結具５０が挿通されており、当該締結具５０は、第一固定部材３０の引き寄せ面部３２には螺合されて貫通している。このため、第二固定部材４０は第一固定部材３０に対し、締結具５０が伸びる方向に沿って、第二挟持部４４が締結具５０の先端部に当接する位置から第二挟持部４４が第一挟持部３４に当接する位置まで、移動することができる。
【００３８】
図６には、スクリーン装置取付具３を縦枠１２に固定する前後の横断面図を示している。図６（ａ）は、スクリーン装置取付具３を縦枠１２に固定する前の状態である。縦枠１２は、建物開口部と縦辺と対向する内周面部１２ａの室外端部に室外側面１２ｂを有している。室外側面１２ｂは、内周面部１２ａよりも外周側に伸びる板状部１２ｃを備えており、板状部１２ｃの先端部には室内側に向かって突出する先端突部１２ｄが形成されている。室外側面１２ｂのうち内周面部１２ａよりも内周側の部分は、サッシ枠１の室外端部に納められる網戸を受ける突出部として機能する。
【００３９】
図６（ａ）において、第一固定部材３０の第一挟持部３４は、縦枠１２の板状部１２ｃに対して当接しており、第二固定部材４０の第二挟持部４４は、縦枠１２の板状部１２ｃのうち第一挟持部３４が当接している面と反対側の面と対向している。また、締結具５０は、先端部が第二固定部材４０の第二挟持部４４に当接している。前述の第二固定部材４０が第一固定部材３０に対し締結具５０が伸びる方向に沿って移動自在な方向は、スクリーン装置取付具３が取付けられる縦枠１２の板状部１２ｃの肉厚方向に対応する。
【００４０】
第一固定部材３０の張出部３３は、縦枠１２の板状部１２ｃよりも第二挟持部４４とは反対側まで張り出しており、この張出部３３から板状部１２ｃ側に向かって折り返された部分に第一挟持部３４が形成されている。すなわち、第一固定部材３０は縦枠１２の板状部１２ｃに形成された先端突部１２ｄを避けるような形状となっており、縦枠１２と干渉することなく板状部１２ｃを挟み込むことができるようになっている。また、サッシの種類等によって板状部１２ｃや先端突部１２ｄの寸法や先端突部１２ｄの有無が異なっていても、第一挟持部３４を縦枠１２と干渉させることなく板状部１２ｃの一方の面に当接させることができる。
【００４１】
図６（ｂ）は、スクリーン装置取付具３を縦枠１２に固定した状態である。図６（ａ）の状態から第一固定部材３０を移動させることなく締結具５０を締めていくことで、締結具５０は板状部１２ｃ側に近づいていくから、第二固定部材４０は、第二挟持部４４が締結具５０の先端部に押圧されて、板状部１２ｃ側に移動する。これに伴い、第二固定部材４０の固定部４２は引き寄せ面部３２に近づき、第二固定部材４０の第二挟持部４４は、板状部１２ｃの第一挟持部３４が当接する面と反対側の面に当接する。締結具５０を締めていくことで、第一挟持部３４と第二挟持部４４は互いに近づくように力を受けるから、両者が縦枠１２の板状部１２ｃを両側から挟み込んでそれぞれ圧接し、スクリーン装置取付具３が縦枠１２に対して固定される。
【００４２】
第一挟持部３４は前述のように縦枠１２の先端突部１２ｄを避けるように形成されているため、板状部１２ｃに当接するのは第一固定部材３０の先端面であるが、第二挟持部４４は幅広の面状に形成されているため、第一挟持部３４との間で板状部１２ｃに対する十分な挟持力を発揮することができる。
【００４３】
このように、スクリーン装置取付具３を第一固定部材３０と第二固定部材４０とで構成し、第一固定部材３０の第一挟持部３４と第二固定部材４０の第二挟持部４４とで縦枠１２の板状部１２ｃを挟み込んで、スクリーン装置取付具３を固定するようにしたので、締結具５０を締めるだけでスクリーン装置取付具３を容易に取付けることができ、また、サッシ枠１に孔を開ける必要もないため、スクリーン装置取付具３を取り外すことで確実に原状復帰することもできる。また、縦枠１２の室外側面１２ｂのうち内周面部１２ａよりも外周側の板状部１２ｃにスクリーン装置取付具３を固定できるので、網戸との干渉を防止することができる。
【００４４】
図７には、スクリーン装置取付具３を取付けた縦枠１２と上枠１０の連結部付近拡大斜視図を示している。この図に示すように、スクリーン装置取付具３の引っ掛け部３５は、縦枠１２の板状部１２ｃの上端部に対して引っ掛けられる。スクリーン装置取付具３をサッシ枠１に取付ける際には、まず引っ掛け部３５を縦枠１２の上端部に対し引っ掛けて位置決めし、それから締結具５０を締めることで、位置決めを容易にして取付作業をより簡単にすることができる。また、引っ掛け部３５が縦枠１２の上端部に引っ掛かっていることにより、締結具５０に緩みが生じてもスクリーン装置取付具３が直ちにサッシ枠１から脱落しないようにすることができる。
【００４５】
次に、保持部品２４を固定するスクリーン装置取付具４について説明する。図８にはスクリーン装置取付具４の平面図を、図９にはスクリーン装置取付具４の側面図を、図１０にはスクリーン装置取付具４の斜視図を、それぞれ示している。これら各図に示すように、保持部品２４を固定するスクリーン装置取付具４の構成は、スクリーン装置本体２０を固定するスクリーン装置取付具３の構成と概ね同様である。
【００４６】
すなわち、スクリーン装置取付具４は、第一固定部材３０と第二固定部材４０とを締結具５０を介して一体化してなり、第一固定部材３０の第一挟持部３４と第二固定部材４０の第二挟持部４４とで、縦枠１２の板状部１２ｃを挟み込んで固定される構造となっている。保持部品２４を固定するスクリーン装置取付具４が、スクリーン装置本体２０を固定するスクリーン装置取付具３と異なるのは、縦枠１２の上下中間部に設けられるものであるため、引っ掛け部３５を有しない点である。
【００４７】
スクリーン装置取付具４の縦枠１２に対する固定に際しては、板状部１２ｃのうちスクリーン装置取付具４の第二挟持部４４が当接するべき所定位置に、予め両面テープを貼付しておき、当該両面テープに対してスクリーン装置取付具４の第二挟持部４４を位置決めするように取付けることで、スクリーン装置取付具４を容易に所定位置に対し取付けることができる。また、第二挟持部４４と縦枠１２とが両面テープで粘着されるので、締結具５０に緩みが生じてもスクリーン装置取付具４が直ちにサッシ枠１から脱落しないようにすることができる。
【００４８】
以上、本発明の実施形態について説明したが、本発明の適用は本実施形態には限られず、その技術的思想の範囲内において様々に適用されうるものである。本実施形態においてスクリーンは、一枚布状のものに限られず、すだれや目隠し、面格子など、他の形態であってもよい。また、スクリーン装置取付具は、建物開口部の屋外側に取付けられる部材であれば、本実施形態のようなスクリーン装置に限られずその取付に用いることができる。
【符号の説明】
【００４９】
１    サッシ枠
２    スクリーン装置
３    スクリーン装置取付具
４    スクリーン装置取付具
１０    上枠
１１    下枠
１２    縦枠
１２ｃ  板状部
１２ｄ  先端突部
２０    スクリーン装置本体
２１    スクリーン
２２    把手部
２３    係合部材
２４    保持部品
２５    本体固定部品
３０    第一固定部材
３１    側面部
３２    引き寄せ面部
３３    張出部
３４    第一挟持部
３５    引っ掛け部
４０    第二固定部材
４１    側面部
４２    固定部
４４    第二挟持部
５０    締結具
【図１】
2014214568.tif 000003
【図２】
2014214568.tif 000004
【図３】
2014214568.tif 000005
【図４】
2014214568.tif 000006
【図５】
2014214568.tif 000007
【図６】
2014214568.tif 000008
【図７】
2014214568.tif 000009
【図８】
2014214568.tif 000010
【図９】
2014214568.tif 000011
【図１０】
2014214568.tif 000012